(57)【特許請求の範囲】
【請求項１】
移動通信システムにおいてＨＡＲＱ伝送を制御する方法であって、
順方向制御チャネルを介して順方向リソース割当を受信するステップと、
前記受信された順方向リソース割当が端末のＣ−ＲＮＴＩに対するものであり、同一のＨＡＲＱプロセスのＨＡＲＱ制御部に通知された以前の順方向リソース割当が、ＳＰＳ（Ｓｅｍｉ−Ｐｅｒｓｉｓｔｅｎｔ  Ｓｃｈｅｄｕｌｉｎｇ）に対して設定された順方向リソース割当であるかを検査するステップと、
前記受信された順方向リソース割当が端末のＣ−ＲＮＴＩに対するものであり、同一のＨＡＲＱプロセスのＨＡＲＱ制御部に通知された以前の順方向リソース割当が、前記ＳＰＳに対して設定された順方向リソース割当であれば、前記受信された順方向リソース割当のＮＤＩが前記ＮＤＩ値に関係なく変更されたものとして決めるステップと、を含み、
二つのＴＢ（Ｔｒａｎｓｐｏｒｔ  Ｂｌｏｃｋ）が一つのＨＡＲＱプロセスに連関すると、前記ＮＤＩは各前記ＴＢに対して規定される
ことを特徴とする方法。
【請求項２】
少なくとも一つの前記受信された順方向リソース割当が端末のＣ−ＲＮＴＩに対するものではなく、同一のＨＡＲＱプロセスのＨＡＲＱ制御部に通知された前記以前の順方向リソース割当が設定された順方向リソースでなければ、ＮＤＩ値の変更有無によってＨＡＲＱプロセスを維持するステップをさらに含む
ことを特徴とする請求項１に記載の方法。
【請求項３】
前記ＨＡＲＱプロセスを維持するステップが、
順方向リソース割当メッセージの現在のＮＤＩと以前のＮＤＩとを比較するステップと、
前記現在のＮＤＩと前記以前のＮＤＩが実質的に同一であれば、前記ＨＡＲＱプロセスを維持するステップと、
前記現在のＮＤＩと前記以前のＮＤＩが同一でなければ、順方向リソース割当メッセージを新しい伝送のための前記リソース割当メッセージで処理するステップと、からなる
ことを特徴とする請求項２に記載の方法。
【請求項４】
前記Ｃ−ＲＮＴＩがＴＣ−ＲＮＴＩ（Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ）を含む
ことを特徴とする請求項１に記載の方法。
【請求項５】
移動通信システムにおいてＨＡＲＱ伝送を制御する方法であって、
順方向制御チャネルを介して順方向リソース割当を受信するステップと、
前記受信された順方向リソース割当がＣ−ＲＮＴＩに対するものであり、前記受信された順方向リソース割当の以前のＳＰＳ（Ｓｅｍｉ−Ｐｅｒｓｉｓｔｅｎｔ  Ｓｃｈｅｄｕｌｉｎｇ）リソース割当が設定されたＳＰＳ伝送リソース割当の時点で使用されるか否かを検査するステップと、
前記受信された順方向リソース割当の以前の前記ＳＰＳリソース割当が前記設定されたＳＰＳ伝送リソース割当の時点で使用されず、前記受信された順方向リソース割当がＣ−ＲＮＴＩに対するものでなければ、前記順方向リソース割当の現在のＮＤＩを、以前のＮＤＩと比較するステップと、
前記ＮＤＩが実質的に同一であれば、結合によりＨＡＲＱ動作を継続するステップと、を含み、
二つのＴＢ（Ｔｒａｎｓｐｏｒｔ  Ｂｌｏｃｋ）が一つのＨＡＲＱプロセスに連関すると、前記ＮＤＩは各前記ＴＢに対して規定される
ことを特徴とする方法。
【請求項６】
前記Ｃ−ＲＮＴＩがＴＣ−ＲＮＴＩを含む
ことを特徴とする請求項５に記載の方法。
【請求項７】
移動通信システムのＨＡＲＱ伝送制御装置において、
プロセッサを含み、前記プロセッサは、
順方向制御チャネルを介して順方向リソース割当を受信し、
前記受信された順方向リソース割当が端末のＣ−ＲＮＴＩに対するものであり、同一のＨＡＲＱプロセスのＨＡＲＱ制御部に通知された以前の順方向リソース割当が、ＳＰＳ（Ｓｅｍｉ−Ｐｅｒｓｉｓｔｅｎｔ  Ｓｃｈｅｄｕｌｉｎｇ）に対して設定された順方向リソース割当であるかを検査し、
前記受信された順方向リソース割当が端末のＣ−ＲＮＴＩに対するものであり、同一のＨＡＲＱプロセスのＨＡＲＱ制御部に通知された以前の順方向リソース割当が、前記ＳＰＳに対して設定された順方向リソース割当であれば、前記受信された順方向リソース割当のＮＤＩが前記ＮＤＩ値に関係なく変更されたものとして決め、
二つのＴＢ（Ｔｒａｎｓｐｏｒｔ  Ｂｌｏｃｋ）が一つのＨＡＲＱプロセスに連関すると、前記ＮＤＩは各前記ＴＢに対して規定される
ことを特徴とする装置。
【請求項８】
前記プロセッサは、
少なくとも一つの前記受信された順方向リソース割当が端末のＣ−ＲＮＴＩに対するものではなく、同一のＨＡＲＱプロセスのＨＡＲＱ制御部に通知された前記以前の順方向リソース割当が設定された順方向リソースでなければ、ＮＤＩ値の変更有無によってＨＡＲＱプロセスを維持する
ことを特徴とする請求項７に記載の装置。
【請求項９】
前記プロセッサは、
順方向リソース割当メッセージの現在のＮＤＩと以前のＮＤＩとを比較し、前記現在のＮＤＩと前記以前のＮＤＩが実質的に同一であれば、前記ＨＡＲＱプロセスを維持し、
前記現在のＮＤＩと前記以前のＮＤＩが同一でなければ、順方向リソース割当メッセージを新しい伝送のための前記リソース割当メッセージで処理する
ことを特徴とする請求項８に記載の装置。
【請求項１０】
前記Ｃ−ＲＮＴＩがＴＣ−ＲＮＴＩを含む
ことを特徴とする請求項７に記載の装置。
【請求項１１】
移動通信システムのＨＡＲＱ伝送制御装置において、
プロセッサを含み、前記プロセッサは、
順方向制御チャネルを介して順方向リソース割当を受信し、
前記受信された順方向リソース割当がＣ−ＲＮＴＩに対するものであり、前記受信された順方向リソース割当の以前のＳＰＳリソース割当が設定されたＳＰＳ伝送リソース割当の時点で使用されるか否かを検査し、
前記受信された順方向リソース割当の以前の前記ＳＰＳリソース割当が前記設定されたＳＰＳ伝送リソース割当の時点で使用されず、前記受信された順方向リソース割当がＣ−ＲＮＴＩに対するものでなければ、前記順方向リソース割当の現在のＮＤＩを、以前のＮＤＩと比較し、
前記ＮＤＩが実質的に同一であれば、結合によりＨＡＲＱ動作を継続し、
二つのＴＢ（Ｔｒａｎｓｐｏｒｔ  Ｂｌｏｃｋ）が一つのＨＡＲＱプロセスに連関すると、前記ＮＤＩは各前記ＴＢに対して規定される
ことを特徴とする装置。
【請求項１２】
前記Ｃ−ＲＮＴＩがＴＣ−ＲＮＴＩを含む
ことを特徴とする請求項１１に記載の装置。
【発明の詳細な説明】
【技術分野】
【０００１】
本発明は、移動通信システムの伝送制御方法に関し、特に、ＨＡＲＱプロセスを使用する移動通信システムの伝送制御方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）システムは、ヨーロッパ式の移動通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）を基盤とし、広帯域（Ｗｉｄｅｂａｎｄ）符号分割多重接続（Ｃｏｄｅ  Ｄｉｖｉｓｉｏｎ  Ｍｕｌｔｉｐｌｅ  Ａｃｃｅｓｓ、以下「ＣＤＭＡ」という）を使用する第三世代非同期移動通信システムである。
【０００３】
現在、ＵＭＴＳ標準化を担当している３ＧＰＰ（３ｒｄ  Ｇｅｎｅｒａｔｉｏｎ  Ｐａｒｔｎｅｒｓｈｉｐ  Ｐｒｏｊｅｃｔ）では、ＵＭＴＳシステムの次世代移動通信システムとしてＬＴＥ（Ｌｏｎｇ  Ｔｅｒｍ  Ｅｖｏｌｕｔｉｏｎ）に対する議論が進められている。ＬＴＥは、最大１００Ｍｂｐｓ程度の伝送速度を有する高速パケット基盤通信を実現する技術であって、２０１０年頃に商用化することを目的としている。これのために様々な方案が議論されているが、例えば、ネットワークの構造を簡単にして通信路上に位置するノードの数を減らす方案や、無線プロトコルを最大限無線チャネルに近接させる方案などが議論されている。
【０００４】
図１に従来のＬＴＥ移動通信システムの構造を示した。
図１を参照すると、示したように、次世代無線アクセスネットワーク（Ｅｖｏｌｖｅｄ  Ｒａｄｉｏ  Ａｃｃｅｓｓ  Ｎｅｔｗｏｒｋ、以下「Ｅ−ＲＡＮ」という）１１０，１１２は、次世代基地局（Ｅｖｏｌｖｅｄ  Ｎｏｄｅ  Ｂ、以下「ＥＮＢ」または「Ｎｏｄｅ  Ｂ」という）１２０，１２２，１２４，１２６，１２８と、上位ノード（Ａｃｃｅｓｓ  Ｇａｔｅｗａｙ）１３０，１３２の２ノード構造に単純化される。ユーザ端末（Ｕｓｅｒ  Ｅｑｕｉｐｍｅｎｔ、以下「ＵＥ」という）１０１は、Ｅ−ＲＡＮ１１０，１１２によってインターネットプロトコル（Ｉｎｔｅｒｎｅｔ  Ｐｒｏｔｏｃｏｌ、以下「ＩＰ」という）ネットワークに接続する。
【０００５】
ＥＮＢ１２０〜１２８は、ＵＭＴＳシステムの既存ノードＢに対応する。ＥＮＢは、ＵＥ１０１と無線チャネルによって連結され、既存ノードＢよりも複雑な役割を遂行する。ＬＴＥでは、インターネットプロトコルを通したＶｏＩＰ（Ｖｏｉｃｅ  ｏｖｅｒ  ＩＰ）のようなリアルタイムサービスをはじめとする全てのユーザトラフィックが共用チャネル（ｓｈａｒｅｄ  ｃｈａｎｎｅｌ）を通じてサービスされるので、ＵＥの状況情報を集合してスケジューリングをする装置が必要であり、これをＥＮＢ１２０〜１２８が担当する。一つのＥＮＢは、通常的に多数のセルを制御する。最大１００Ｍｂｐｓの伝送速度を実現するために、ＬＴＥは最大２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下「ＯＦＤＭ」という）を無線接続技術として使用する。また、端末のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決める適応変調コーディング（Ａｄａｐｔｉｖｅ  Ｍｏｄｕｌａｔｉｏｎ  ＆  Ｃｏｄｉｎｇ、以下「ＡＭＣ」という）方式を適用する。
【０００６】
図２は、従来のＬＴＥ移動通信システムのプロトコルスタックを示す図である。
前記図２を参照すると、ＬＴＥシステムの無線プロトコルは、ＰＤＣＰ（Ｐａｃｋｅｔ  Ｄａｔａ  Ｃｏｎｖｅｒｇｅｎｃｅ  Ｐｒｏｔｏｃｏｌ）２０５，２４０、ＲＬＣ（Ｒａｄｉｏ  Ｌｉｎｋ  Ｃｏｎｔｒｏｌ）２１０，２３５、ＭＡＣ（Ｍｅｄｉｕｍ  Ａｃｃｅｓｓ  Ｃｏｎｔｒｏｌ）２１５，２３０からなる。ＰＤＣＰ２０５，２４０は、ＩＰヘッダの圧縮／復元などの動作を担当し、無線リンク制御２１０，２３５は、ＰＤＣＰ  ＰＤＵ（Ｐａｃｋｅｔ  Ｄａｔａ  Ｕｎｉｔ、以下、特定プロトコル階層装置で出力されるパケットを前記プロトコルのＰＤＵと称する）を適切な大きさで再構成し、ＡＲＱ（Ａｕｔｏｍａｔｉｃ  Ｒｅｐｅａｔ  ｒｅｑｕｅｓｔ）動作などを行う。ＭＡＣ２１５，２３０は、１つの端末から構成された様々なＲＬＣ階層装置と連結され、ＲＬＣ  ＰＤＵをＭＡＣ  ＰＤＵに多重化し、ＭＡＣ  ＰＤＵからＲＬＣ  ＰＤＵを逆多重化する動作を行う。物理階層２２０，２２５は、上位階層データをチャネルコーディングおよび変調し、ＯＦＤＭシンボルと作成して無線チャネルに伝送するか、無線チャネルを介して受信したＯＦＤＭシンボルを復調し、チャネル復号化して上位階層に伝達する動作をする。
【０００７】
ＬＴＥ移動通信システムでは、ＭＡＣ  ＰＤＵ伝送時にＨＡＲＱ（Ｈｙｂｒｉｄ  Ａｕｔｏｍａｔｉｃ  Ｒｅｐｅａｔ  ｒｅＱｕｅｓｔ）を適用して伝送効率を高める。ＨＡＲＱが適用される移動通信システムにおいて、ＭＡＣ  ＰＤＵ受信に失敗した受信装置は、送信装置にＨＡＲＱ  ＮＡＣＫを伝送し、送信装置はＭＡＣ  ＰＤＵを再伝送する。受信装置は、前記再伝送されたＭＡＣ  ＰＤＵを既存のＭＡＣ  ＰＤＵと軟性結合（ｓｏｆｔ  ｃｏｍｂｉｎｉｎｇ）することによって、送受信の成功確率を高める。
図３は、ＬＴＥ移動通信システムの伝送リソース割当メッセージの一例を示す図である。ＬＴＥ移動通信システムにおいて、伝送リソースは伝送リソース割当メッセージにより割り当てられる。
【０００８】
図３を参照すると、伝送リソース割当フィールド（Ｒｅｓｏｕｒｃｅ  Ｂｌｏｃｋ（ＲＢ）：ａｓｓｉｇｎｍｅｎｔ  ｆｉｅｌｄ）３０５は、端末が使用する伝送リソースの量と位置を示す情報である。ＬＴＥ移動通信システムにおいて単位伝送リソースは、１ｍｓｅｃの長さと所定の帯域幅で構成されるリソースブロック（ｒｅｓｏｕｒｃｅ  ｂｌｏｃｋ）であり、前記伝送リソース割当フィールドを通じてリソースブロックが割り当てられる。変調／チャネルコーディングフィールド（ＭＣＳ；Ｍｏｄｕｌａｔｉｏｎ  ａｎｄ  Ｃｏｄｉｎｇ  Ｓｃｈｅｍｅ）３１０は、伝送するデータに適用すべき変調方式とチャネルコーディング率を指示するフィールドである。前記フィールドは５ビットであり、ＱＰＳＫ変調と０．１１チャネルコーディング率の組み合わせを指示するコードポイントから６４ＱＡＭ変調と０．９５チャネルコーディング率の組み合わせを指示するコードポイントまでの２９個のコードポイントで構成される。また、リソース割当メッセージは、ＮＤＩ（Ｎｅｗ  Ｄａｔａ  Ｉｎｄｉｃａｔｏｒ）を含む。ＮＤＩ３１５は、該伝送リソース割当メッセージが新しい伝送に関するものであるか再伝送に関するものであるかを指示する１ビットの情報である。また、リソース割当メッセージは、参照番号３３０により定義されるフィールド（ｏｔｈｅｒ  ｆｉｅｌｄｓ）を含み、本発明には関わらないため、このフィールドの説明は省略する。
【０００９】
通常の順方向データの送受信の際、基地局は、端末にＰＤＣＣＨ（Ｐｈｙｓｉｃａｌ  Ｄｏｗｎｌｉｎｋ  Ｃｏｎｔｒｏｌ  Ｃｈａｎｎｅｌ）という制御チャネルを介して伝送リソース割当メッセージを伝送する。このとき、前記伝送リソース割当メッセージにはＣＲＣ３３５が収納されるが、前記ＣＲＣ（Ｃｙｃｌｉｃ  Ｒｅｄｕｎｄａｎｃｙ  Ｃｈｅｃｋ）は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）という端末の識別子と伝送リソース割当メッセージの内容に対するＣＲＣ演算の結果である。すなわち、基地局は、前記伝送リソース割当メッセージに収納された情報の他に、前記伝送リソース割当メッセージを受信する端末のＣ−ＲＮＴＩを含めてＣＲＣ演算を行い、その結果を前記ＣＲＣフィールド３３５に収納する。端末は、ＰＤＣＣＨを介して受信される伝送リソース割当メッセージに自らのＣ−ＲＮＴＩを含ませてＣＲＣ演算を行う。ＣＲＣ演算結果が成功であれば、該伝送リソース割当メッセージは自分に伝送されたものであるため、端末は前記伝送リソース割当メッセージの伝送リソース割当フィールドで指示する伝送リソースを通じて順方向データを受信する。以下、前記順方向データは、ＰＤＳＣＨ（Ｐｈｙｓｉｃａｌ  Ｄｏｗｎｌｉｎｋ  Ｓｈａｒｅｄ  Ｃｈａｎｎｅｌ）を通じて伝送される。
【００１０】
ＨＡＲＱ再伝送もまた、前記伝送リソース割当メッセージを通じて伝送リソースが割り当てられるため、ＬＴＥ移動通信システムでは、一つのパケットを伝送するために多数の伝送リソース割当メッセージが伝送されることもある。ＶｏＩＰのようにサイズの小さいパケットが比較的短い周期で持続的に発生するサービスでは、上記のようにパケット当たりに伝送リソース割当メッセージを伝送することは非常に非効率的であり、前記非効率性を緩和するために、半永久的伝送リソース割当技法（Ｓｅｍｉ  Ｐｅｒｓｉｓｔｅｎｔ  Ｓｃｈｅｄｕｌｉｎｇ、ＳＰＳ）が導入された。ＳＰＳでは一度割り当てられた伝送リソースが続いて有効であるため、付加の伝送リソース割当メッセージは必要ない。さらに詳しく説明すると、半永久的伝送リソースを割り当てるために、基地局は、端末にＰＤＣＣＨを介して半永久的伝送リソース割当メッセージを伝送し、その後、前記割り当てられた半永久的伝送リソースを介して端末にパケットを伝送する。
【００１１】
前記半永久的伝送リソース割当メッセージは、前記図３に示した一般的な伝送リソース割当メッセージと同様のフォーマットを有する。半永久的伝送リソース割当メッセージと一般的な伝送リソース割当メッセージを区別するために、端末は別途のＣ−ＲＮＴＩを与えられ、これをＳＰＳ  Ｃ−ＲＮＴＩという。換言すると、端末は、一般的なＣ−ＲＮＴＩとＳＰＳ  Ｃ−ＲＮＴＩという２種類のＣ−ＲＮＴＩを有し、受信した伝送リソース割当メッセージに対して前記二つのＣ−ＲＮＴＩでＣＲＣ演算を行う。仮に一般的なＣ−ＲＮＴＩに対してＣＲＣ演算が成功すると、前記伝送リソース割当メッセージは一般的な伝送リソースを割り当てるメッセージであり、ＳＰＳ  Ｃ−ＲＮＴＩに対してＣＲＣ演算が成功すると、前記伝送リソース割当メッセージは半永久的伝送リソースを割り当てるメッセージであり、両方に対してＣＲＣ演算が失敗すると、前記伝送リソース割当メッセージは端末に伝送されたメッセージではない。
【発明の概要】
【発明が解決しようとする課題】
【００１２】
前記半永久的伝送リソースは、一度割り当てられると、予め設定された周期ごとに使用可能である。順方向の場合、半永久的伝送リソースによりＨＡＲＱの初期伝送のみ行われる。端末は、割り当てられた半永久的伝送リソースを介して受信したパケットのＣＲＣ演算が失敗するとＨＡＲＱ  ＮＡＣＫを伝送し、基地局は、一般的な伝送リソースを用いて前記パケットに対するＨＡＲＱ再伝送を行う。このとき、前記半永久的伝送リソースを介して受信したパケットに対する再伝送にもＳＰＳ  Ｃ−ＲＮＴＩが使用される。任意のパケットが最初に伝送されるパケットであるか再伝送されるパケットであるかは、通常、ＮＤＩによって区別される。ところが、半永久的伝送リソースを用いる場合は、最初に伝送されるパケットに対する伝送リソース割当メッセージが存在しないため、上記のようにＮＤＩ変更の有無を検査して最初伝送であるか再伝送であるかを区別することは困難である。これにより、ＳＰＳ  Ｃ−ＲＮＴＩが使用された場合は、ＮＤＩの意味を固定することで最初伝送と再伝送を区分する。例えば、ＮＤＩが１であれば再伝送を意味し、ＮＤＩが０であればＳＰＳ伝送リソースが割り当てられることを意味する。
【００１３】
ＮＤＩ変数は、ＨＡＲＱプロセス（ｐｒｏｃｅｓｓ）ごとに一つしか使用しないため、１回のＨＡＲＱプロセスにおいて一般的なＣ−ＲＮＴＩが使用された順方向データとＳＰＳ  Ｃ−ＲＮＴＩが使用された順方向データとをいずれも処理する場合には、前記ＮＤＩを用いて最初伝送と再伝送を区分する方法がない。
【課題を解決するための手段】
【００１４】
本発明は、上記のような問題および不都合を解消し、下記において説明される利点を提供する。
【００１５】
本発明は、端末がＣ−ＲＮＴＩが使用された伝送リソース割当メッセージを受信し、前記伝送リソース割当メッセージが、半永久的伝送リソースが用いられて初めて受信された伝送リソース割当メッセージであれば、前記伝送リソース割当メッセージは、ＮＤＩとは関係なく新しい伝送を指示する伝送リソース割当メッセージであると判断することで伝送性能を向上することができる、移動通信システムにおけるＨＡＲＱのための伝送制御方法を提供する。
【００１６】
また、本発明は、端末が任意のＨＡＲＱプロセスに対してＣ−ＲＮＴＩが使用された伝送リソース割当メッセージを最初に受信すると、ＮＤＩ値とは関係なく新しい伝送のための割当メッセージであると判断することで伝送性能を向上することができる、移動通信システムにおけるＨＡＲＱのための伝送制御方法を提供する。本発明の実施例によると、移動通信システムにおいてＨＡＲＱ（Ｈｙｂｒｉｄ  Ａｕｔｏｍａｔｉｃ  Ｒｅｐｅａｔ  ｒｅＱｕｅｓｔ）伝送を制御する方法が提供される。この方法は、順方向制御チャネルを介して順方向リソース割当を受信するステップと、前記受信された順方向割当が端末のＣ−ＲＮＴＩに対するものであり、同一のＨＡＲＱプロセスのＨＡＲＱ制御部に通知された以前の順方向リソース割当が、端末のＣ＿ＲＮＴにより受信された順方向リソース割当および設定された順方向リソースのいずれであるかを検査するステップと、前記順方向リソース割当が端末のＣ−ＲＮＴＩに対するものであり、同一のＨＡＲＱプロセスのＨＡＲＱ制御部に通知された以前の順方向リソース割当が、端末のＣ＿ＲＮＴにより受信された順方向リソース割当および設定された順方向リソースのいずれであれば、前記受信された順方向リソース割当のＮＤＩが前記ＮＤＩ値に関係なく新しい伝送のための前記受信された順方向リソース割当メッセージとして決めるステップと、を含む。
【００１７】
本発明の他の実施例によると、移動通信システムにおいて端末がＨＡＲＱ伝送を制御する方法を提供する。この方法は、順方向ＳＰＳリソース割当メッセージを受信するステップと、ＳＰＳリソースがＳＰＳ伝送リソース割当の時点で使用されず、前記ＳＰＳリソースの次に受信される順方向リソース割当メッセージがＣ−ＲＮＴＩによって使用された順方向リソース割当メッセージであるか否かを検査するステップと、前記ＳＰＳリソースがＳＰＳ伝送リソース割当の時点で使用されず、前記ＳＰＳリソースの次に受信される順方向リソース割当メッセージがＣ−ＲＮＴＩによって使用された順方向リソース割当メッセージであれば、前記順方向リソース割当メッセージの現在のＮＤＩを、未だＨＡＲＱ動作が完了していないパケットのＮＤＩと比較するステップと、前記複数のＮＤＩが実質的に同一であれば、前記現在のパケットを前記従来のパケットと軟性結合してＨＡＲＱ動作を継続するステップと、を含む。
【００１８】
本発明のさらに他の実施例によると、移動通信システムにおけるＨＡＲＱ伝送制御方法を提供する。この方法は、順方向リソース割当メッセージの受信時に、前記順方向リソース割当メッセージが該当ＨＡＲＱプロセスにおいてＣ−ＲＮＴＩが使用された最初のリソース割当メッセージであるか否かを検査するステップと、前記該当ＨＡＲＱプロセスにおいて前記Ｃ−ＲＮＴＩが使用された前記最初のリソース割当メッセージであれば、ＮＤＩ変更の有無を検査するステップと、前記順方向リソース割当メッセージが前記該当ＨＡＲＱプロセスにおいて前記Ｃ−ＲＮＴＩが使用された前記最初のリソース割当メッセージでなければ、ＮＤＩが変更されたか否かを判断するために現在のＮＤＩ値と以前のＮＤＩ値とを比較するステップと、を含む。
【００１９】
本発明の他の両面、利点および主要な特徴は、本発明の添付図面および実施例と共に行われる下記の詳細な説明において明らかになるだろう。
【発明の効果】
【００２０】
本発明の実施例に係る移動通信システムにおけるＨＡＲＱ伝送制御方法は、半永久的伝送リソースで伝送されるパケットと、動的伝送リソースで伝送されるパケットとをいずれも処理するＨＡＲＱプロセスにおいて、動的伝送リソースで伝送されるパケットが新しいパケットであるか再伝送されるパケットであるかを明確に区別することができる。
【００２１】
本発明の実施例に係る移動通信システムの信号伝送装置および方法は、端末がデータの新しい伝送および再伝送を指示するアップリンク伝送リソース割当メッセージを明確に区別することができ、これによって、アップリンク伝送リソース割当メッセージの誤認識によるリソースの無駄遣いを節減することができる。
【００２２】
本発明の実施例の態様（ａｓｐｅｃｔｓ）、特徴および利点などは、図面と共に行われる説明からより明らかになるだろう。
【図面の簡単な説明】
【００２３】
【図１】図１は、ＬＴＥ移動通信システム構造の一例を示す図である。
【図２】図２は、ＬＴＥ移動通信システムのプロトコルスタックを示す図である。
【図３】図３は、伝送リソース割当メッセージの一例を示す図である。
【図４】図４は、半永久的伝送リソースの使用例を示す図である。
【図５】図５は、半永久的伝送リソースと動的伝送リソースとが共に用いられる例を示す図である。
【図６】図６は、本発明の全体動作を説明する図である。
【図７】図７は、本発明の第１実施例において順方向伝送リソースを割り当てられた端末の動作手続きを示す図である。
【図８】図８は、本発明の第１実施例において逆方向伝送リソースを割り当てられた端末の動作手続きを示す図である。
【図９】図９は、ランダムアクセスステップにおいてＮＤＩを誤解析する問題を説明するための図である。
【図１０】図１０は、本発明の第２実施例において順方向伝送リソースを割り当てられた端末の動作手続きを示す図である。
【図１１】図１１は、本発明の第２実施例において逆方向伝送リソースを割り当てられた端末の動作手続きを示す図である。
【図１２】図１２は、本発明の第３実施例において逆方向伝送リソースを割り当てられた端末の動作手続きを示す図である。
【図１３】図１３は、本発明の実施例に係る端末装置の構造を示す図である。
【発明を実施するための形態】
【００２４】
添付の図面と下記の説明は、請求範囲およびその均等物によって定義されるものであり、本発明の実施例を理解するのに役に立つ。これは、発明の理解のための特定の詳細を含むが、単に実施例として考慮しなければならない。したがって、具体的な構成要素などのような特定の事項と、限定された実施例および図面によって説明されたが、これは本発明のより全般的な理解のために提供されたものであり、本発明は、上述した実施例に限定されるものではなく、本発明の属する分野における通常の知識を有する者であれば、このような記載より様々な修正および変形が可能である。また、本発明の要旨を不明にする公知機能および構成に対する詳細な説明は省略すべきである。
【００２５】
下記の詳細な説明および請求範囲において用いられる用語および単語は、文献的意味に限定されず、発明を明確かつ一貫して理解できるように用いられる。したがって、この分野における知識を有する者が後述する本発明の実施例の明細書を説明するための目的で提供され、請求範囲およびその他の均等物を限定するための目的ではない。
【００２６】
「実質的に（ｓｕｂｓｔａｎｔｉａｌｌｙ）」という用語は、記載された特徴／特性（ｃｈａｒａｃｔｅｒｉｓｔｉｃ）、パラメータ、または値が正確に達成されなければならない必要はないものの、例えば許容誤差（ｔｏｌｅｒａｎｃｅ）、測定エラー、測定正確度限定、および当業者に知られた別の要因を含む偏差（ｄｅｖｉａｔｉｏｎ）や変動（ｖａｒｉａｔｉｏｎ）が、意図された特徴／特性に影響を与えない範囲（ａｍｏｕｎｔｓ）内で発生し得るという意味を有する。
【００２７】
本発明の実施例では、任意のＨＡＲＱプロセスが、一般的なＣ−ＲＮＴＩが使用されたパケットとＳＰＳ  Ｃ−ＲＮＴＩが使用されたパケットとを処理する場合に、最初伝送と再伝送を区分する方法を提案する。
【００２８】
本発明の実施例では、端末は、Ｃ−ＲＮＴＩが使用された伝送リソース割当メッセージを受信し、前記伝送リソース割当メッセージは、半永久的伝送リソースが使用されて初めて受信された伝送リソース割当メッセージであれば、前記伝送リソース割当メッセージは、ＮＤＩとは関係なく新しい伝送を指示する伝送リソース割当メッセージであると判断する。
【００２９】
また、本発明の実施例では、端末が任意のＨＡＲＱプロセスに対してＣ−ＲＮＴＩが使用された伝送リソース割当メッセージを最初に受信すると、ＮＤＩ値とは関係なく新しい伝送のための割当メッセージであると判断する。
【００３０】
本発明の実施例において、端末装置が順方向伝送リソース割当メッセージを処理する動作は、伝送リソース割当メッセージが最初に受信する臨時のＣ−ＲＮＴＩ（Ｔ  Ｃ−ＲＮＴＩ）が使用された伝送リソース割当メッセージであれば、端末装置は、Ｃ−ＲＮＴＩが使用された伝送リソース割当情報であるかを検査する。また、前記Ｃ−ＲＮＴＩが使用された伝送リソース割当情報であれば、端末装置は同一のＨＡＲＱプロセスに対し、最近にＣ−ＲＮＴＩで伝送リソースを割り当てられた後に、設定された伝送リソースが使用されたか否かを検査し、設定された伝送リソースが使用されていない場合は、受信したＮＤＩを以前のＮＤＩと比較してＮＤＩ変更の有無を判断する。
【００３１】
本発明の実施例に係る逆方向伝送リソース割当メッセージの処理動作は、逆方向伝送リソース割当情報を受信すると、端末装置はＣ−ＲＮＴＩが使用された伝送リソース割当情報であるか否かを分析する。このとき、前記Ｃ−ＲＮＴＩが使用された伝送リソース割当情報であれば、端末装置は同一のＨＡＲＱプロセスに対し、最近にＣ−ＲＮＴＩで伝送リソースを割り当てられた後に、設定された伝送リソースが使用されたかを検査し、設定された伝送リソースが使用された場合は、ＮＤＩが変更されたと判断して新しい伝送を開始するように制御し、設定された伝送リソースが使用されていない場合は、受信したＮＤＩと以前のＮＤＩを比較してＮＤＩ変更の有無を判断する。
【００３２】
本発明の実施例に係る順方向伝送リソース割当メッセージの処理動作は、順方向伝送リソース割当情報が受信されると、端末装置は、該ＨＡＲＱプロセスに対しＣ−ＲＮＴＩが使用された最初の伝送リソース割当情報であるか否かを検査する。このとき、端末装置は、使用された最初の伝送リソース割当情報であればＮＤＩが変更されたと判断し、そうでない場合は、受信したＮＤＩを以前のＮＤＩと比較してＮＤＩ変更の有無を判断する。
【００３３】
本発明の実施例に係る逆方向伝送リソース割当メッセージの処理動作は、逆方向伝送リソース割当情報が受信されると、端末装置は、該ＨＡＲＱプロセスに対しＣ−ＲＮＴＩが使用された最初の伝送リソース割当情報であるか否かを検査する。このとき、使用された最初の伝送リソース割当情報であれば、端末装置はＮＤＩ変更の有無を判断し、ＮＤＩが変更されていない場合は、該ＨＡＲＱプロセスに再伝送を指示し、ＮＤＩが変更された場合は、該ＨＡＲＱプロセスに新しい伝送を開始するように指示する。
【００３４】
前記ＳＰＳ伝送リソースは、ＶｏＩＰ（Ｖｏｉｃｅ  ｏｖｅｒ  Ｉｎｔｅｒｎｅｔ  Ｐｒｏｔｏｃｏｌ）のように持続的に小さなパケットを発生させるサービスを提供するために設定される。ＳＰＳ伝送リソース使用の有無は、呼び設定ステップで端末に通知され、このとき、ＳＰＳ用として使用するＨＡＲＱプロセスもともに通知される。
【００３５】
一般的なＶｏＩＰトラフィックパターンにおいて、ＶｏＩＰパケットは２０ｍｓｅｃごとに発生し、ＳＰＳ伝送リソースもまた、２０ｍｓｅｃの周期で設定される。以下、ＳＰＳ伝送リソースが設定された時点を、ＳＰＳ伝送リソース設定時点（ＳＰＳ  ｏｃｃａｓｉｏｎ）と称することとする。基地局は、通常、二つのＨＡＲＱプロセスをＳＰＳ用として割り当て、前記二つのＨＡＲＱプロセスが２０ｍｓｅｃごとに交代に使用されるので、１回のＨＡＲＱプロセスでは、４０ｍｓｅｃごとに１回ずつのＳＰＳ伝送リソース割当時点が到来し、４０ｍｓｅｃごとに１回ずつのＳＰＳ伝送リソースによりＶｏＩＰパケットを受信する。
【００３６】
図４は、本発明の実施例に係る半永久的伝送リソースの使用例を示した図である。
前記図４を参照すると、ＨＡＲＱプロセス１とＨＡＲＱプロセス２とがＳＰＳ用ＨＡＲＱプロセスとして設定され、２０ｍｓｅｃごとにＳＰＳ伝送リソースが割り当てられたと仮定する。そうそると、ＨＡＲＱプロセス１は、１番目のＳＰＳ伝送リソース設定時点４０５と３番目のＳＰＳ伝送リソース設定時点４１０において、ＳＰＳ伝送リソースを通じてパケットを受信し、ＨＡＲＱプロセス２は、２番目のＳＰＳ伝送リソース設定時点４１５と４番目ＳＰＳ伝送リソース設定時点４２０において、ＳＰＳ伝送リソースを通じてパケットを受信する。このように二つのＨＡＲＱプロセスがＳＰＳ用として割り当てられたとき、各ＨＡＲＱプロセスがＳＰＳ伝送リソースを通じてパケットを受信する周期は４０ｍｓｅｃである。
【００３７】
図５は、本発明の実施例により半永久的伝送リソースと動的伝送リソースが共に使用される例を示す図である。
【００３８】
前記図５を参照すると、前記ＳＰＳ伝送リソースを通じて受信されたパケットの復号化に失敗すると、前記パケットに対するＨＡＲＱ再伝送が進行される。ＳＰＳに対する再伝送は、ＳＰＳ  Ｃ−ＲＮＴＩで指示され、該伝送リソース割当メッセージが新しい伝送に関するものであるか再伝送に関するものであるかを指示するＮＤＩは「１」と設定される。前記ＳＰＳ伝送リソースを通じて受信されたパケットのＨＡＲＱ再伝送が４０ｍｓｅｃ内に完了すれば、次のＳＰＳ伝送リソース設定時点まで、前記ＨＡＲＱプロセスは動的伝送リソースで受信されるパケットを処理することができる。例えば、ＳＰＳ伝送リソースを通じて受信したパケットをＨＡＲＱプロセス１（ＰＲＯＣ  １）で処理するとき（５１０）、任意の時点に前記パケットのＨＡＲＱ動作が完了すれば（すなわち、端末が前記パケットを成功的に復号化し、ＨＡＲＱ  ＡＣＫを伝送すれば）（５２０）、前記時点からＨＡＲＱプロセス１（ＰＲＯＣ  １）の次のＳＰＳ伝送リソース設定時点（５３０）までは、ＨＡＲＱプロセス１を用いて動的伝送リソースで受信されるパケットを処理することができる。基地局は、Ｃ−ＲＮＴＩを用いて前記ＨＡＲＱプロセス１（ＰＲＯＣ  １）に対する伝送リソース割当メッセージを端末に伝送し（５２５）、端末は、Ｃ−ＲＮＴＩを用いて動的に割り当てられた伝送リソースを用いてパケットを受信し、所定のＨＡＲＱ動作を行う。このとき、前記動的伝送リソースで受信される、すなわちＣ−ＲＮＴＩが使用されたパケットが新しい伝送であることを指示するためには、伝送リソース割当メッセージのＮＤＩを適宜の値に設定しなければならない。
【００３９】
前記図５に示すように、ＳＰＳ伝送リソースを通じて受信したパケットのＨＡＲＱ動作が完了してから初めて受信されるＣ−ＲＮＴＩが使用されたパケットは、常に新しいパケットである。したがって、ＮＤＩ値と関係なく新しい伝送を指示するものと見なすことができる。すなわち、任意のＨＡＲＱプロセスに対するＳＰＳ伝送リソース設定時点の以後に前記ＨＡＲＱプロセスに対してＣ−ＲＮＴＩで受信する最初の伝送リソース割当メッセージは、新しい伝送を指示する伝送リソース割当メッセージと見なす規則を設定することができる。
【００４０】
図６は、本発明の実施例により全体動作を示す図である。
場合によって、ＳＰＳ伝送リソース設定時点にＳＰＳ伝送リソースが使用しないこともある。例えば、ＳＰＳ伝送リソース割当時点が「他のシステムや他の周波数帯域の測定のために設定された空白区間」（以下、メジャメントギャップ（ｍｅａｓｕｒｅｍｅｎｔ  ｇａｐ）という）と重なると、前記ＳＰＳ伝送リソース設定時点では、ＳＰＳ伝送リソースが使用されない。この場合、上述したＮＤＩ解析規則を適用すると、前記ＳＰＳ伝送リソースが使用されていないＳＰＳ伝送リソース設定時点の以後に、基地局がＨＡＲＱ動作が完了していないパケットのＨＡＲＱ動作を持続することが不可能である。例えば、ＨＡＲＱプロセス１においてＳＰＳ伝送リソースを通じて受信したパケットに対するＨＡＲＱ動作が完了した後、端末がＨＡＲＱプロセス１に対してＣ−ＲＮＴＩを用いた順方向伝送リソース割当メッセージを受信することができる。この場合、端末は、前記順方向伝送リソース割当メッセージを新しい伝送に対する伝送リソース割当メッセージであると判断し、前記順方向伝送リソース割当メッセージにより指示されたパケットを受信してＨＡＲＱプロセス１に保存する。
【００４１】
前記パケットに対するＨＡＲＱ動作が完了していない状態で、前記ＨＡＲＱプロセス１に対するＳＰＳ伝送リソース設定時点になると（６１５）、端末は、ＳＰＳ伝送リソースを通じて受信されるパケットを処理するために前記ＨＡＲＱプロセス１に保存されているパケットを廃棄する。さらに、その後、前記ＨＡＲＱプロセス１に対して受信するＣ−ＲＮＴＩが使用された伝送リソース割当メッセージは、ＮＤＩと関係なく新しい伝送に対するものと判断する。仮に、前記ＳＰＳ伝送リソース割当の時点がメジャメントギャップと重なるなどの理由で、前記ＳＰＳ伝送リソース設定時点にＳＰＳ伝送リソースが使用されない場合は、該ＨＡＲＱプロセスに保存されているパケットを廃棄し、その後、前記ＨＡＲＱプロセスに対して受信するＣ−ＲＮＴＩが使用された伝送リソース割当メッセージを新しい伝送に対するメッセージとして判断することができる。しかしながら、このような動作は不要であるだけでなく、未だ完了していないＨＡＲＱ動作を完了させる機会を始めから奪うという点で、非効率的である。
【００４２】
本発明の実施例において、端末は、ＳＰＳ伝送リソース割当時点にＳＰＳ伝送リソースが実質的に使用された場合にのみ該ＨＡＲＱバッファをフラッシュし、その後に受信するＣ−ＲＮＴＩが使用された伝送リソース割当メッセージを新しい伝送に対するものと判断する。ＳＰＳ伝送リソース割当時点にＳＰＳ伝送リソースが実質的に使用されていない場合は、端末は、該ＨＡＲＱバッファをフラッシュせず、前記ルールを適用しないことで、未だ完了していないＨＡＲＱ動作を完了することが可能となるようにする。例えば、端末は、前記ＳＰＳ伝送リソースが使用されていないＳＰＳ伝送リソース割当時点が経過した後、Ｃ−ＲＮＴＩを用いた伝送リソース割当メッセージを受信すると、前記伝送リソース割当メッセージのＮＤＩを未だＨＡＲＱ動作が完了していないパケットのＮＤＩと比較して新しい伝送であるか再伝送であるかを判断する。前記伝送リソース割当メッセージのＮＤＩと、未だＨＡＲＱ動作が完了していないパケットのＮＤＩとが実質的に同一であれば、端末は前記受信したパケットを従来のパケットと軟性結合することで、ＨＡＲＱ動作を持続する。
【００４３】
＜第１実施例＞
図７は、本発明において順方向伝送リソース割当メッセージを処理する端末動作の第１実施例を示す図である。
前記図７を参照すると、端末は、ステップＳ７０５で基地局から順方向伝送リソース割当メッセージを受信すると、ステップＳ７１０に進んで前記伝送リソース割当メッセージが、初めて受信する臨時のＣ−ＲＮＴＩ（Ｔｅｍｐｏｒａｒｙ  Ｃ−ＲＮＴＩ：以下、Ｔ  Ｃ−ＲＮＴＩという）が使用された伝送リソース割当メッセージであるか否かを検査する。前記Ｔ  Ｃ−ＲＮＴＩは、ランダムアクセスステップで使用される端末の識別子である。ＮＤＩの定義から、初めて受信するＮＤＩ値は比較の対象がないため、前記Ｔ  Ｃ−ＲＮＴＩに対して初めて受信した伝送リソース割当メッセージに対しては、ＮＤＩ値に関係なく新しい伝送であると判断する。よって、前記ステップＳ７１０の判断ステップにおいて、前記Ｔ  Ｃ−ＲＮＴＩが使用された１番目の伝送リソース割当メッセージであると判断されると、前記端末はステップＳ７２５に進んで前記受信した伝送リソース割当メッセージが新しい伝送を指示するものと判断する。これは、ＮＤＩが変更されたものと判断する。
【００４４】
しかしながら、前記ステップＳ７１０の判断ステップにおいて、前記Ｔ  Ｃ−ＲＮＴＩが使用された1番目の伝送リソース割当情報でないと判断されると、前記端末は、ステップＳ７１５に進んで前記ステップＳ７０５で受信した伝送リソース割当メッセージのＣ−ＲＮＴＩが使用された割当メッセージであるか否かを判断する。前記Ｃ−ＲＮＴＩが使用された伝送リソース割当情報でれば、前記端末は、ステップＳ７２０で受信した伝送リソース割当メッセージが指示するＨＡＲＱプロセスに対し、最近にＣ−ＲＮＴＩで伝送リソースを割り当てられた後に、設定されたＳＰＳ伝送リソースを前記ＨＡＲＱプロセスを通じて用いたことがあるか否かを検査する。ここで、設定されたＳＰＳ伝送リソースを用いたとのことは、設定されたＳＰＳ伝送リソース割当情報を処理（ｐｒｏｃｅｓｓ）したとのことと同一の表現である。これは、受信した伝送リソース割当メッセージが指示するＨＡＲＱプロセスに対し、最近にＣ−ＲＮＴＩで伝送リソースを割り当てられた後に、前記ＨＡＲＱプロセスに対して、設定された順方向伝送リソース割当情報を処理したことがあるか否かを検査することになり得る。またこれは、受信した伝送リソース割当メッセージが指示するＨＡＲＱプロセスに対し、最近にＣ−ＲＮＴＩで伝送リソースを割り当てられた後に、前記ＨＡＲＱプロセスに対する順方向ＳＰＳ伝送をＨＡＲＱ制御部（ＨＡＲＱ  ｅｎｔｉｔｙ）に通知したことがあるか否かを検査することになり得る。
【００４５】
前記ステップＳ７２０において、同一のＨＡＲＱプロセスに対し、最近にＣ−ＲＮＴＩで伝送リソースを割り当てられた後に、設定された伝送リソースが使用されたと判断された場合、前記Ｃ−ＲＮＴＩが使用された伝送リソース割当メッセージは、設定されたＳＰＳ伝送リソースが使用された後に初めて受信したＣ−ＲＮＴＩが使用された伝送リソース割当メッセージである。このような場合、端末は、ステップＳ７２５に進んでＮＤＩが変更されたものと判断する。ステップＳ７２０において、前記判断条件検査の結果が偽であれば、例えば最近にＣ−ＲＮＴＩで伝送リソースを割り当てられた後に、未だ設定されたＳＰＳ伝送リソースを用いたことがない場合は、端末は通常のＮＤＩ解析手続きを適用するためにステップＳ７３０に進む。ＭＩＭＯ（Ｍｕｌｔｉ  Ｉｎｐｕｔ  Ｍｕｌｔｉ  Ｏｕｔｐｕｔ）が適用される場合、一つのＨＡＲＱプロセスが二つのＴＢ（Ｔｒａｎｓｐｏｒｔ  Ｂｌｏｃｋ）を処理することもでき、このような場合、ＮＤＩはＨＡＲＱプロセスごとでなくＴＢごとに規定される。したがって、前記ステップＳ７２０の検査ステップにおいて、ＨＡＲＱプロセスはＴＢに代えられてもよい。例えば、端末は、受信した伝送リソース割当メッセージが指示するＴＢに対し、最近にＣ−ＲＮＴＩで伝送リソースを割り当てられた後に、ＳＰＳ伝送リソースを用いたことがあるか否かを検査してもよい。
【００４６】
また、前記ステップＳ７１５においてＴ  Ｃ−ＲＮＴＩが使用されていない伝送リソース割当メッセージを受信した場合は、正常のＮＤＩ解析手続きを適用するためにステップＳ７３０に進む。すなわち、Ｃ−ＲＮＴＩが使用された伝送リソース割当メッセージに対してのみステップＳ７２０の規則を適用する。これは、Ｔ  Ｃ−ＲＮＴＩが使用されていない伝送リソース割当メッセージに対してもステップＳ７２０の規則を適用すると、ランダムアクセスステップに問題が生じる可能性があるためである。これをさらに詳しく検討すると、順方向でＴ  Ｃ−ＲＮＴＩは、ランダムアクセスステップの最後のメッセージの伝送に用いられる。このとき、Ｔ  Ｃ−ＲＮＴＩを用いて再伝送が行われてもよく、このとき、ＮＤＩ値を以前の値と同一に設定して該当順方向伝送リソース割当メッセージが再伝送のためのものであることを示す。Ｔ  Ｃ−ＲＮＴＩが使用されていない伝送リソース割当メッセージに対してステップＳ７２０の判断ステップを適用すれば、ＳＰＳ伝送リソースが設定された端末がランダムアクセスステップを行う際に、Ｔ  Ｃ−ＲＮＴＩが使用された再伝送のための伝送リソース割当メッセージを、新しい伝送のための伝送リソース割当メッセージと誤認することで、ＨＡＲＱ再伝送が不能になるという問題が発生する。よって、本発明におけるように、ステップＳ７２０の判断ステップは、Ｃ−ＲＮＴＩが使用された伝送リソース割当メッセージに対してのみ適用されるべきである。
【００４７】
図８は、本発明の実施例において逆方向伝送リソース割当メッセージ（ｕｐｌｉｎｋ  ｇｒａｎｔ）を処理する端末動作を示す図である。
【００４８】
前記図８を参照すると、端末は、ステップＳ８０５において基地局から逆方向伝送リソース割当メッセージを受信すると、ステップＳ８１０に進んで前記伝送リソース割当メッセージにＣ−ＲＮＴＩが使用されたか否かを検査する。このとき、前記Ｃ−ＲＮＴＩが使用された伝送リソース割当メッセージであれば、前記端末はステップＳ８２０に進む。しかしながら、前記Ｃ−ＲＮＴＩでなくＴ  Ｃ−ＲＮＴＩが使用されていない伝送リソース割当メッセージであれば、前記端末はステップＳ８１５に進んで、従来の規則を用いてＮＤＩ変更の有無を判断する。これは、上記のような状態でステップＳ８２０で提示した判断ステップを適用してＮＤＩ変更の有無を判断すると、ランダムアクセスステップで誤動作が発生し得るためである。
【００４９】
前記ステップＳ８１０において、前記Ｃ−ＲＮＴＩが使用された伝送リソース割当メッセージであると判断されると、前記端末は、ステップＳ８２０において受信した逆方向伝送リソース割当メッセージと対応するＨＡＲＱプロセスに対し、最近にＣ−ＲＮＴＩで伝送リソースを割り当てられた後に、前記ＨＡＲＱプロセスを通じて設定されたＳＰＳ伝送リソースを使用したことがあるか否かを検査する。前記ステップＳ８２０の検査結果が真であれば、前記Ｃ−ＲＮＴＩが使用された伝送リソース割当メッセージは、設定されたＳＰＳ伝送リソースが用いられて初めて受信したＣ−ＲＮＴＩが使用された伝送リソース割当メッセージであり、前記端末は、ステップＳ８２５に進んで新しい伝送が指示されたものと判断し、該ＨＡＲＱプロセスが新しい伝送を開始するように制御する。しかしながら、ステップＳ８２０において前記判断条件検査の結果が偽であれば、例えば、最近にＣ−ＲＮＴＩで伝送リソースを割り当てられた後に、未だ設定されたＳＰＳ伝送リソースを用いたことがなければ、前記端末は、通常のＮＤＩ解析手続きを適用するためにステップＳ８３０に進む。ステップＳ８３０において、端末は、最近に受信したＮＤＩ値と現在受信したＮＤＩ値を比較してＮＤＩ変更の有無と新しい伝送であるか否かを判断する。
【００５０】
＜第２実施例＞
上記したように、ＮＤＩを用いて新しい伝送の有無を判断するにおいて、任意のＨＡＲＱプロセスに対して最初に受信したＮＤＩは、比較する対象がないため、ＮＤＩ値と関係なく新しい伝送であると判断する。前記規則は、ランダムアクセスステップではまともに作動しないこともある。
【００５１】
図９は、ランダムアクセスステップにおいて、ＮＤＩを解釈し間違って発生する問題を説明するための図である。任意の端末が基地局とランダムアクセスステップを行うステップを例をあげて説明する。
【００５２】
前記図９を参照すると、端末は、ステップＳ９１５において所定のプリアンブルセット（ｐｒｅａｍｂｌｅ  ｓｅｔ）のうち一つのプリアンブルを無作為に選択し、所定の時点に所定の伝送リソースとして基地局に伝送する。また、前記基地局が前記端末の伝送したプリアンブルを感知すると、ステップＳ９２０でランダムアクセス応答メッセージを構成して端末に伝送する。前記応答メッセージには、端末が「自らの識別子が収納されたメッセージ」を伝送できるように、逆方向伝送リソースメッセージと端末のＴ  Ｃ−ＲＮＴＩとが収納される。そうすると、前記端末は、ステップＳ９２５で前記Ｔ  Ｃ−ＲＮＴＩと逆方向伝送リソースとを用いて、逆方向メッセージを伝送し、前記逆方向メッセージには端末を識別できる識別子などが収納される。
【００５３】
以後、前記基地局が前記メッセージを受信すると、ステップＳ９３０で前記メッセージに収納されている端末の識別子を含ませる順方向メッセージを構成し、通常のＨＡＲＱステップを適用して端末に伝送する。前記メッセージを競合解決（ｃｏｎｔｅｎｔｉｏｎ  ｒｅｓｏｌｕｔｉｏｎ）メッセージといい、端末は、前記メッセージを受信して自分の識別子が含まれていることを確認した後、ランダムアクセスステップを完了する。
【００５４】
複数の端末が同一のプリアンブルを同時に伝送すると、ステップＳ９３０で伝送された競合解決メッセージには、現在の前記図９のようなランダムアクセスを実行する端末（以下の説明では、アクセス端末と称する）の識別子ではなく、他の端末の識別子が収納されていることもある。こういう場合、前記アクセス端末は、これを競合が失敗したと見なしてステップＳ９４０でプリアンブルを選択し、ステップＳ９４５で基地局から伝送されるランダムアクセス応答メッセージを受信する。ランダム応答メッセージを受信すると、端末は、ステップＳ９５０においてＴ  Ｃ−ＲＮＴＩを使用し、アップリンクメッセージ３およびアップリンクリソースを伝送する。また、アップリンクメッセージが受信されると、基地局は、ステップＳ９５５で端末識別子を含む順方向メッセージを発生させ、ＨＡＲＱプロセッサによって端末に順方向メッセージを伝送する。前記二番目のランダムアクセスステップが成功的に完了すると、基地局とアクセス端末は、通常の順方向送受信ステップを進行する。また、前記端末は、失敗した一番目のランダムアクセスステップで競合解決メッセージが処理されたＨＡＲＱプロセス（例えば、「ＨＡＲＱプロセス０」と仮定する）は、既にＴ  Ｃ−ＲＮＴＩで動作されたので、端末は、このときに使用されたＮＤＩを用いて、今後ＨＡＲＱプロセス０に対する順方向伝送リソース割当メッセージが新しい伝送のためのものか、または、再伝送のためのものかを判断する。
【００５５】
前記ステップＳ９３０において、基地局がアクセス端末に競合解決メッセージを伝送するとき、基地局は、ランダムアクセスステップを行うアクセス端末が前記端末という事実をまだ認知していない状態であり、前記競合解決が失敗したので、基地局は、前記端末のＨＡＲＱプロセス０にどのＮＤＩを使用したのか記憶しておくことができない。よって、今後ランダムアクセスが成功した後、前記ＨＡＲＱプロセス０に新しい伝送のための順方向伝送リソース割当メッセージを伝送しながら、ＮＤＩをそれに合わせて設定することができないという問題が発生する。
【００５６】
前記問題点を解決するために、端末が任意のＨＡＲＱプロセスに対してＣ−ＲＮＴＩが使用された伝送リソース割当メッセージを最初に受信すると、ＮＤＩ値とは関係なく新しい伝送のための割当メッセージであると判断する方法を提示する。
【００５７】
図１０は、順方向伝送リソース割当メッセージを受信した端末の動作を示す図である。
前記図１０を参照すると、端末がステップＳ１００５で順方向伝送リソース割当メッセージを受信すると、ステップＳ１０１０に進んで該当ＨＡＲＱプロセスに対してＣ−ＲＮＴＩが使用された最初の伝送リソース割当情報であるか否かを検査する。すなわち、前記端末は、ステップＳ１０１０において、前記順方向伝送リソース割当メッセージにＣ−ＲＮＴＩが使用され、前記順方向伝送リソース割当メッセージが指示するＨＡＲＱプロセスに対してＭＡＣが設定された後、あるいは、ＭＡＣがリセットされた後にＣ−ＲＮＴＩが使用された順方向伝送リソース割当メッセージが受信されたことがないか否かを検査する。前記条件が満足されると、前記順方向伝送リソース割当メッセージは、ＭＡＣが設定された後、あるいは、リセットされた後に該当ＨＡＲＱプロセスに対して最初に受信したＣ−ＲＮＴＩが使用された順方向伝送リソース割当メッセージであるため、端末はステップＳ１０２０に進んで、前記順方向伝送リソース割当メッセージが新しい伝送を指示する順方向伝送リソース割当メッセージであると判断する。上述したように、これは、ＮＤＩが変更されたと判断するものと同一の意味を有する。ステップＳ１０１０の判断ステップの結果が真でなければ、端末は、ステップＳ１０１５に進んで受信したＮＤＩを以前のＮＤＩと比較し、ＮＤＩ変更の有無および新しい伝送／再伝送の有無を判断する。
【００５８】
図１１は、逆方向伝送リソース割当メッセージを受信した端末の動作を示す図である。
前記図１１を参照すると、端末は、ステップＳ１１０５で逆方向伝送リソース割当メッセージを受信すると、ステップＳ１１１０に進んで、該当ＨＡＲＱプロセスに対してＣ−ＲＮＴＩが使用された最初の伝送リソース割当情報であるか否かを検査する。すなわち、前記端末は、ステップＳ１１１０において、前記逆方向伝送リソース割当メッセージにＣ−ＲＮＴＩが使用され、ＭＡＣが設定された後、あるいは、ＭＡＣがリセットされた後に前記逆方向伝送リソース割当メッセージが指示するＨＡＲＱプロセスに対して、Ｃ−ＲＮＴＩが使用された逆方向伝送リソース割当メッセージが受信されたことがないか否かを検査する。前記ステップＳ１１１０でＣ−ＲＮＴＩが使用された最初の伝送リソース割当情報であれば、前記逆方向伝送リソース割当メッセージは、ＭＡＣが設定された後、あるいは、ＭＡＣがリセットされた後に該当ＨＡＲＱプロセスに対して最初に受信したＣ−ＲＮＴＩが使用された逆方向伝送リソース割当メッセージであるため、端末はステップＳ１１１５に進んで、前記逆方向伝送リソース割当メッセージが指示する伝送リソースを用いて新しい伝送を開始するように該当ＨＡＲＱプロセスを制御する。しかしながら、ステップＳ１１００においてＣ−ＲＮＴＩが使用された最初の伝送リソース割当情報でなければ、端末はステップＳ１１２０に進んで、受信したＮＤＩが以前のＮＤＩと同一であるか否かを比較する。受信したＮＤＩが以前のＮＤＩと同一でなければ（すなわち、ＮＤＩが変更された場合）、これはＣ−ＲＮＴＩが新しい伝送を指示することを意味し、したがって、端末は、ステップＳ１１１５に進んで該当ＨＡＲＧプロセスに新しい伝送を開始するように指示する。しかしながら、ＮＤＩが実質的に同一であれば（すなわち、ＮＤＩが変更されない場合）、これはＣ−ＲＮＴＩが再伝送を指示することを意味し、端末は、ステップＳ１１２５に進んで該当ＨＡＲＱプロセスが再伝送を実行するように制御する。
【００５９】
＜第３実施例＞
本発明の第３実施例では、Ｔ  Ｃ−ＲＮＴＩが使用された逆方向伝送リソース割当情報（または、ｇｒａｎｔ）を受信したとき、前記逆方向伝送リソース割当情報がＨＡＲＱプロセスに対する一番目の逆方向伝送リソース割当情報であれば、前記伝送リソース割当情報を無視する方法を提示する。現在の規格によると、端末は、前記状況で再伝送を行わなければならないが、前記状況が発生することは、他の端末に伝送される逆方向伝送リソース割当情報を前記端末が自分のものと誤解する場合であるため、受信した逆方向伝送リソース割当情報によって逆方向伝送を行うことは、不必要な逆方向干渉を招く。
【００６０】
例えば、二台の端末が同時に同一のプリアンブルを伝送し、このうち一つの端末はランダムアクセスに成功し、残り端末は失敗した。このとき、競合に失敗した端末は、未だその事実を分からないため、Ｔ  Ｃ−ＲＮＴＩを監視し続ける。一方、競合に成功した端末は、ランダムアクセスステップで使用したＴ  Ｃ−ＲＮＴＩを自分のＣ−ＲＮＴＩとして使用するため、前記競合に成功した端末に逆方向伝送リソース割当情報が割り当てられると、競合に失敗した端末が前記逆方向伝送リソース割当情報を自分の逆方向伝送リソース割当情報であると誤認する。
【００６１】
図１２は、本発明の実施例によって逆方向伝送リソース割当メッセージを受信した端末の動作を示す図である。
【００６２】
前記図１２を参照すると、端末は、ステップＳ１２０５で逆方向伝送リソース割当メッセージを受信すると、ステップＳ１２１０に進んで前記逆方向伝送リソース割当メッセージがＰＤＣＣＨを介して受信され、該当ＨＡＲＱプロセスに対する最初の伝送リソース割当メッセージであり、Ｔ  Ｃ−ＲＮＴＩが使用されたか否かを検査する。ＰＤＣＣＨは、逆方向伝送リソース割当メッセージが伝送される順方向制御チャネルを称する。殆どの逆方向伝送リソース割当メッセージは前記ＰＤＣＣＨに伝送されるが、Ｔ  Ｃ−ＲＮＴＩが使用される場合には、ランダムアクセス応答メッセージを介しても伝送される。前記ランダムアクセス応答メッセージを介して伝送される逆方向伝送リソース割当メッセージは、常に新しい伝送を指示するものであり、逆方向伝送リソース割当メッセージがランダムアクセス応答メッセージを介して受信されると、端末は前記逆方向伝送リソース割当メッセージを無視してはいけない。上述したように、逆方向伝送リソース割当メッセージが任意のＨＡＲＱプロセスに対する最初の伝送リソース割当メッセージではあるが、Ｔ  Ｃ−ＲＮＴＩが使用された場合には、前記逆方向伝送リソース割当メッセージは、他の端末に割り当てられる伝送リソース割当メッセージである。したがって、端末は、ステップＳ１２１０で前記条件が満足する逆方向伝送リソース割当情報を受信した場合には、ステップＳ１２２０に進んで受信した逆方向伝送リソース割当情報を無視し、逆方向伝送を行わない。また、ステップＳ１２２５に進んでランダムアクセスステップが失敗したことを認知し、適切な所定の動作を行う。例えば、プリアンブル伝送ステップに進んで、ランダムアクセスステップを繰り返す。ステップＳ１２１０で列挙された条件のうち一つでも満足しなければ、端末はステップＳ１２１５に進んで、従来の動作によって動作する。例えば、受信した逆方向伝送リソース割当情報のＮＤＩを用いて、新しい伝送／再伝送の有無を判断して割り当てられた伝送リソースで逆方向伝送を行う。
【００６３】
図１３は、本発明の実施例に係る端末装置のブロック構成を示す図である。
前記図１３を参照すると、端末装置は、上位階層装置１３０５、受信ＨＡＲＱ装置１３１０、送受信部１３１５、ＨＡＲＱ制御部１３２５、ＰＤＣＣＨ処理部１３２０、送信ＨＡＲＱ装置１３３０から構成される。
【００６４】
端末の送受信部１３１５は、無線チャネルを介してＰＤＣＣＨを受信し、他のトラフィックを送受信する装置である。送受信部１３１５は、ＰＤＣＣＨを介して受信した信号を復号化してＰＤＣＣＨ処理部１３２０に伝達する。ＰＤＣＣＨ処理部１３２０は、送受信部１３１５が伝達した復号化された信号に所定のＣＲＣ演算を行ってエラー有無を判断し、エラーのない伝送リソース割当メッセージをＨＡＲＱ制御部１３２５に伝達する。ＨＡＲＱ制御部１３２５は、伝送リソース割当メッセージを解釈して、受信ＨＡＲＱ装置１３１０あるいは送信ＨＡＲＱ装置１３３０が新しい伝送または再伝送を行うように制御する。上位階層装置１３０５は、ＲＬＣ装置、ＰＤＣＰ装置およびＭＡＣの多重化装置などを通称する。受信ＨＡＲＱ装置１３１０は、多数の受信ＨＡＲＱプロセスから構成され、ＨＡＲＱプロセス別に通常のＨＡＲＱ受信動作を行う。送信ＨＡＲＱ装置１３３０もまた、多数の送信ＨＡＲＱプロセスから構成され、ＨＡＲＱプロセス別に通常のＨＡＲＱ送信動作を行う。
【００６５】
前記図１３のような構成を有する端末装置において、本発明の第１実施例に係る伝送リソース割当メッセージ処理動作を検討する。
【００６６】
第一に、前記第１実施例に係る順方向伝送リソース割当メッセージの処理動作を検討してみると、送受信部１３１５は受信した信号を復号化し、ＰＤＣＣＨ処理部１３２０はエラーの有無を判断した後、エラーのない伝送リソース割当メッセージをＨＡＲＱ制御部１３２５に伝達する。そうすると、前記ＨＡＲＱ制御部１３２５は、前記伝送リソース割当メッセージが最初に受信する臨時のＣ−ＲＮＴＩが使用された伝送リソース割当メッセージであるか否かを検査する。このとき、前記Ｔ  Ｃ−ＲＮＴＩが使用された一番目の伝送リソース割当情報であれば、前記ＨＡＲＱ制御部１３２５はＮＤＩが変更されたものと判断する。しかしながら、前記Ｔ  Ｃ−ＲＮＴＩが使用された一番目の伝送リソース割当情報でなければ、前記ＨＡＲＱ制御部１３２５は、Ｃ−ＲＮＴＩが使用された伝送リソース割当情報であるか否かを検査する。このとき、前記Ｃ−ＲＮＴＩが使用された伝送リソース割当情報でなければ、前記ＨＡＲＱ制御部１３２５は、受信したＮＤＩを以前のＮＤＩと比較してＮＤＩ変更の有無を判断する。
【００６７】
しかしながら、前記Ｃ−ＲＮＴＩが使用された伝送リソース割当情報であれば、前記ＨＡＲＱ制御部１３２５は、同一のＨＡＲＱプロセスに対して最近にＣ−ＲＮＴＩで伝送リソースを割り当てられた後に、設定された伝送リソースが使用されたか否かを検査する。このとき、前記ＨＡＲＱ制御部１３２５は、設定された伝送リソースが使用された場合は、ＮＤＩが変更されたと判断し、設定された伝送リソースが使用されなかった場合には、受信されたＮＤＩを以前のＮＤＩと比較してＮＤＩ変更の有無を判断する。
【００６８】
以後、前記ＨＡＲＱ制御部１３２５は、上記のような手続きにより判断された結果に基づいて前記受信ＨＡＲＱ装置１３１０を制御し、ＨＡＲＱ受信手続きを制御し、前記受信ＨＡＲＱ装置１３１０は、前記ＨＡＲＱ処理の結果を前記上位階層装置１３０５に伝達する。
【００６９】
第二に、前記第１実施例に係る逆方向伝送リソース割当メッセージの処理動作を調べてみると、逆方向伝送リソース割当情報を受信すると、前記ＨＡＲＱ制御部１３２５は、Ｃ−ＲＮＴＩが使用された伝送リソース割当情報であるか否かを分析する。このとき、前記Ｃ−ＲＮＴＩが使用されていない伝送リソース割当情報であれば、前記ＨＡＲＱ制御部１３２５は、従来の規則を用いてＮＤＩ変更の有無を判断する。また、前記Ｃ−ＲＮＴＩが使用された伝送リソース割当情報であれば、前記ＨＡＲＱ制御部１３２５は、同一のＨＡＲＱプロセスに対して最近にＣ−ＲＮＴＩで伝送リソースを割り当てられた後に、設定された伝送リソースが使用されたか否かを検査する。このとき、前記ＨＡＲＱ制御部１３２５は、前記設定された伝送リソースが使用された場合は、ＮＤＩが変更されたと判断して新しい伝送を開始するように制御し、設定された伝送リソースが使用されていない場合は、受信したＮＤＩと以前のＮＤＩを比較してＮＤＩ変更の有無を判断する。
【００７０】
以後、前記ＨＡＲＱ制御部１３２５は、上記のような手続きにより判断された結果に基づいて前記送信ＨＡＲＱ装置１３３０を制御してＨＡＲＱ送信手続きを制御し、前記送信ＨＡＲＱ装置１３３０は、前記ＨＡＲＱ制御部１３２５の制御下で前記上位階層装置１３０５に伝達されるＨＡＲＱデータを処理して送受信部１３１５を介して伝送する。
【００７１】
また、前記図１３のような構成を有する端末装置において、本発明の第２実施例に係る伝送リソース割当メッセージ処理動作を検討する。
【００７２】
第一に、前記第２実施例に係る順方向伝送リソース割当メッセージの処理動作を検討してみると、順方向伝送リソース割当情報が受信されると、前記ＨＡＲＱ制御部１３２５は、該当ＨＡＲＱプロセスに対してＣ−ＲＮＴＩが使用された最初の伝送リソース割当情報であるか否かを検査する。このとき、前記ＨＡＲＱ制御部１３２５は、使用された最初の伝送リソース割当情報であれば、ＮＤＩが変更されたと判断し、そうでなければ、受信したＮＤＩを以前のＮＤＩと比較してＮＤＩ変更の有無を判断する。以後、前記ＨＡＲＱ制御部１３２５は、受信ＨＡＲＱ装置１３１０を制御して受信ＨＡＲＱを処理する。
【００７３】
第二に、前記第２実施例に係る逆方向伝送リソース割当メッセージの処理動作を検討してみると、逆方向伝送リソース割当情報が受信されると、前記ＨＡＲＱ制御部１３２５は、該当ＨＡＲＱプロセスに対してＣ−ＲＮＴＩが使用された最初の伝送リソース割当情報であるか否かを検査する。このとき、使用された最初の伝送リソース割当情報でなければ、前記ＨＡＲＱ制御部１３２５は、該当ＨＡＲＱプロセスに新しい伝送を開始するように指示する。しかしながら、使用された最初の伝送リソース割当情報であれば、前記ＨＡＲＱ制御部１３２５は、ＮＤＩ変更の有無を判断した後、ＮＤＩが変更されなければ該当ＨＡＲＱプロセスに再伝送を指示し、ＮＤＩが変更されれば該当ＨＡＲＱプロセスに新しい伝送を開始するように指示する。
【００７４】
そうすると、前記送信ＨＡＲＱ装置１３３０は、前記ＨＡＲＱ制御部１３２５の指示によって前記ＨＡＲＱプロセスを処理し、送受信部１３１５を介して伝送する。
【００７５】
第三に、前記第３実施例に係る逆方向伝送リソース割当メッセージの処理動作を検討してみると、逆方向伝送リソース割当情報が受信されると、前記ＨＡＲＱ制御部１３２５は、該当ＨＡＲＱプロセスに対して前記逆方向伝送リソース割当メッセージがＰＤＣＣＨを介して受信され、該当ＨＡＲＱプロセスに対する最初の伝送リソース割当メッセージであり、Ｔ  Ｃ−ＲＮＴＩが使用されたか否かを検査する。このとき、上記のような条件を満足することは、前記逆方向伝送リソース割当メッセージは他の端末に割り当てられる伝送リソース割当メッセージということを意味するため、前記ＨＡＲＱ制御部１３２５は、受信した逆方向伝送リソース割当情報を無視して逆方向伝送を行わないように制御する。また、前記ＨＡＲＱ制御部１３２５は、これをランダムアクセスステップが失敗したことと認知し、それによる動作を行う。
【００７６】
本発明の実施例は、コンピュータ読み取り可能な記録媒体に関するコンピュータ読み取り可能なコードで具体化されることができる。コンピュータ読み取り可能な記録媒体は、コンピュータシステムで保存されたリードできるデータ格納装置である。例えば、記録媒体は、ＲＯＭ、ＲＡＭ、ＣＤ−ＲＯＭ、磁気テープ、フロッピー（登録商標）ディスク、光データ格納装置およびキャリアウェーブ（インターネットを介したデータ伝送のような）等であってもよい。コンピュータ読み取り可能な記録媒体は、コンピュータ読み取り可能なコードが保存されて実行されるようにするために、ネットワークを介してコンピュータシステムと連結されることができる。また、本発明を達成するための機能プログラム、コードおよびコードセグメントは、この分野の知識を有する人々に容易に理解される。
【００７７】
上述したように、本発明の実施例に係る移動通信システムにおけるＨＡＲＱ伝送制御方法は、半永久的伝送リソースで伝送されるパケットと、動的伝送リソースで伝送されるパケットとをいずれも処理するＨＡＲＱプロセスにおいて、動的伝送リソースで伝送されるパケットが新しいパケットであるか再伝送されるパケットであるかを明確に区別することができる。上述したように本発明の実施例に係る移動通信システムの信号伝送装置および方法は、端末がデータの新しい伝送および再伝送を指示するアップリンク伝送リソース割当メッセージを明確に区別することができ、これによって、アップリンク伝送リソース割当メッセージの誤認識によるリソースの無駄遣いを節減することができる。
【００７８】
本発明は、実施例を参照して示され説明され、本発明の技術的思想に基づく他の変形例が実施可能であることは、本発明が属する技術分野で通常の知識を有する者に自明である。
【符号の説明】
【００７９】
１３０５  上位階層装置
１３１０  受信ＨＡＲＱ装置
１３１５  送受信部
１３２０  ＰＤＣＣＨ処理部
１３２５  ＨＡＲＱ制御部
１３３０  送信ＨＡＲＱ装置
【図１】
0005781442.tif 000002
【図２】
0005781442.tif 000003
【図３】
0005781442.tif 000004
【図４】
0005781442.tif 000005
【図５】
0005781442.tif 000006
【図６】
0005781442.tif 000007
【図７】
0005781442.tif 000008
【図８】
0005781442.tif 000009
【図９】
0005781442.tif 000010
【図１０】
0005781442.tif 000011
【図１１】
0005781442.tif 000012
【図１２】
0005781442.tif 000013
【図１３】
0005781442.tif 000014